(57)【要約】【課題】塵埃を排出する排気排塵ダクトの出口付近での抵抗を無くして、塵埃による閉塞を防止することができる空気調和機の排気排塵ダクトを提供すること。【解決手段】本発明の排気排塵ダクトは、換気やエアフィルターに付着した塵埃を排出する換気ホースの先端に取付けられる排気排塵ダクトであって、排塵ダクトはＬ字形状に曲げられた軸部と、忌避剤を含有した略円筒形状の部材とを備え、軸部の一部に略円筒形状の部材を配置したことにより、塵埃が堆積しやすい流路開閉出口に開閉扉などの抵抗がないので、塵埃の堆積を防止し、塵埃の堆積による流路の閉塞を防止することができるとともに、略円筒形状の部材を設けているため虫の侵入も防ぐことができる。【選択図】図１
2011191020.tif 000002
【特許請求の範囲】
【請求項１】
換気やエアフィルターに付着した塵埃を排出する換気ホースの先端に取付けられる排気排塵ダクトであって、前記排塵ダクトはＬ字形状に曲げられた軸部と、忌避剤を含有した略円筒形状の部材とを備え、前記軸部の一部に前記略円筒形状の部材を配置したことを特徴とする排気排塵ダクト。
【請求項２】
前記略円筒形状の部材の外周部と、前記軸部の内周部とが当接しており、前記軸部から前記略円筒形状の部材に向かう塵埃の排出流路上の、前記軸部と前記略円筒形状との境目においては、前記軸部の内周部と前記略円筒形状の部材の内周部とが同一平面となるように構成したことを特徴とする請求項１に記載の排気排塵ダクト。
【請求項３】
前記軸部は、塵埃の排出流路に対して平行に分割されて構成することを特徴とする請求項１または２に記載の排気排塵ダクト。
【発明の詳細な説明】
【技術分野】
【０００１】
本発明は、エアフィルターを自動で清掃する機能を有する空気調和機に関するもので、特に、塵埃を排出するために換気ホースの先端に設けられる排気排塵ダクトに関する。
【背景技術】
【０００２】
従来のこの種の空気調和機の排気排塵ダクトとして、図５、図６に示されるようなものがあった（例えば、特許文献１参照）。
【０００３】
図５は、従来の空気調和機の排気排塵ダクトの斜視図であり、図６は、同排気排塵ダクトのカフス４を外した状態の斜視図である。図５、図６において、従来の排気排塵ダクト１は、換気ホース（図示せず）の先端に係止される筒状の軸部分２０と、軸部分２０の先端に回動自在に取着された流路開閉蓋３と、流路開閉蓋３を覆うように軸部分２０の先端に取着されたカフス４から構成されている。
【０００４】
そして、通常は、流路開閉蓋３が軸部分２０の端面などに当接して封止しており、外部からの虫等の侵入を防いでいる一方で、換気機能やエアフィルターの自動清掃機能を動作させたときに、換気機能動作時の風圧や、エアフィルターより除去された塵埃を換気ホースを通して外部に排出するときの風圧で、流路開閉蓋３が開き、室内の空気や除去され塵埃が、排気排塵ダクトより屋外へ排出される構造となっている。
【先行技術文献】
【特許文献】
【０００５】
【特許文献１】特開２００６−１４５１０８号公報
【発明の概要】
【発明が解決しようとする課題】
【０００６】
しかしながら、前記従来の空気調和機の排気排塵ダクトの構成では、換気ホースや軸部品２を通して排出されてくる塵埃が、流路開閉蓋３を過ぎると、開放状態になるため、一気に風速が落ちる。また、換気機能が動作して開放状態になった時には、この流路開閉蓋３が抵抗となり、流路開閉蓋３の出口付近でカフス４内に塵埃が溜まり、長期間の使用によっては排気排塵ダクト１の出口付近が塵埃で塞がってしまうという課題を有していた。
【０００７】
本発明は、前記従来の課題を解決するもので、塵埃を排出する排気排塵ダクトの出口付近での抵抗を無くして、塵埃による閉塞を防止することができる空気調和機の排気排塵ダクトを提供する事を目的とする。
【課題を解決するための手段】
【０００８】
前記従来の課題を解決するために、本発明の排気排塵ダクトは、換気やエアフィルターに付着した塵埃を排出する換気ホースの先端に取付けられる排気排塵ダクトであって、排塵ダクトはＬ字形状に曲げられた軸部と、忌避剤を含有した略円筒形状の部材とを備え、軸部の一部に略円筒形状の部材を配置したことにより、塵埃が堆積しやすい流路開閉出口に開閉扉などの抵抗がないので、塵埃の堆積を防止し、塵埃の堆積による流路の閉塞を防止することができるとともに、略円筒形状の部材を設けているため虫の侵入も防ぐことができる。
【発明の効果】
【０００９】
本発明は、塵埃を排出する排気排塵ダクトの出口付近での抵抗を無くして、塵埃による
閉塞を防止することができる空気調和機の排気排塵ダクトを提供することができる。
【図面の簡単な説明】
【００１０】
【図１】本発明の実施の形態における排気排塵ダクトの斜視図
【図２】同実施の形態１における排気排塵ダクトの分解図
【図３】同実施の形態１における軸部と部材との境目を示す図
【図４】同実施の形態１における軸部の嵌め合わせ図
【図５】従来の排気排塵ダクトの斜視図
【図６】従来の排気排塵ダクトの斜視図
【発明を実施するための形態】
【００１１】
第１の発明の排気排塵ダクトは、換気やエアフィルターに付着した塵埃を排出する換気ホースの先端に取付けられる排気排塵ダクトであって、排塵ダクトはＬ字形状に曲げられた軸部と、忌避剤を含有した略円筒形状の部材とを備え、軸部の一部に略円筒形状の部材を配置したことにより、塵埃が堆積しやすい流路開閉出口に開閉扉などの抵抗がないので、塵埃の堆積を防止し、塵埃の堆積による流路の閉塞を防止することができるとともに、略円筒形状の部材を設けているため虫の侵入も防ぐことができる。
【００１２】
第２の発明の排気排塵ダクトは、特に第１の発明において、略円筒形状の部材の外周部と、軸部の内周部とが当接しており、軸部から略円筒形状の部材に向かう塵埃の排出流路上の、軸部と略円筒形状との境目においては、軸部の内周部と略円筒形状の部材の内周部とが同一平面となるように構成したことにより、塵埃の排出方向に対して凸の段差にならないので、内面への塵埃の引っ掛かりや堆積を防止することができる。
【００１３】
第３の発明の排気排塵ダクトは、特に第１または第２の発明において、軸部は、塵埃の排出流路に対して平行に分割されて構成することにより、容易に忌避剤を内部に組み付けることができる。
【００１４】
以下、本発明の実施の形態について、図面を参照しながら説明する。なお、この実施の形態によって本発明が限定されるものではない。
【００１５】
（実施の形態１）
図１は、本実施の形態における空気調和機の排気排塵ダクトの斜視図である。図１に示すように、本発明の排気排塵ダクトは略Ｌ字形状の軸部２を有している。なお、図１に示す排気排塵ダクトはＲを有する略Ｌ字形状であるが、これに限定されることはなく、例えばＬ字部分が直角に近い形状であっても問題はない。
【００１６】
図２は、排気排塵ダクトの分解図である。図２に示すように、略Ｌ字形状の軸部２は塵埃の排出方向に平行となる方向に２つの部材に分割して構成されており、一方に引っ掛け部を有し、他方にその引っ掛け部を係合する受け部を有する印籠型で構成されている。また、印籠型で形成しているので、密着効果を高めて、外部からの雨風の侵入を防ぐことができる。
【００１７】
また、図２に示すように、軸部２の内部には内部に流路を有する略円筒形状の忌避剤を含有した部材５が内挿されており、忌避剤によって害虫などの侵入を防いでいる。
【００１８】
図３は、略円筒形状の部材が内挿されている部分において、塵埃の排出方向に対して平行な断面形状である。図３に示すように、部材５の形状は内部に流路を有する略円筒形状であるため、軸部２の内周部と部材５の外周部とが当接している。さらに、塵埃が排出する方向の経路において、軸部２から部材５へ切り替わる境目には凸形状を設けていない。
【００１９】
つまり、軸部２の内周部と部材５の内周部とが略同一平面上となるように構成することによって、塵埃の流れが滑らかに排出されるようになり、軸部２と部材５との境目に塵埃が堆積してしまうことを防いでいる。なお、図３には通風方向６を示し、塵埃は通風方向６と同じ方向に排出されるものである。
【００２０】
また、本実施の形態では軸部２の内周部と部材５の内周部とが略同一平面となるように構成したが、軸部２の内周部から部材５の内周部が一段下がるような構成にしても良い。この場合においても、塵埃の流れ方向に対して段差が下がる方向に流路が形成されているので、塵埃の堆積を防止することができる。
【００２１】
図４は、軸部の嵌め合わせ構成のＡＡ断面図である。図４に示すように、２段の印籠構成７にしたことによって、密着効果を高めて、外部からの雨風の侵入を防ぐことができる。
【００２２】
以上のように構成された排気排塵ダクトを使用した空気調和機において、エアフィルターを自動で清掃する場合、エアフィルターから取り除かれた塵埃が換気ホース（図示せず）を通って、外部に排出されるが、換気ホースの端部に設けた排気排塵ダクトによって、従来のように開閉扉を設けていないので、塵埃が堆積しにくく、また忌避剤を含有した部材を設けているので、外部から虫の侵入も同時に防ぐことができる。
【産業上の利用可能性】
【００２３】
本発明の空気調和機の排気排塵ダクトは、エアフィルター自動掃除機能で除去されたホコリを、換気ホースを介して確実に屋外に排出させることができると共に、出口からの虫などの侵入も防ぐことができることが可能となるため、エアフィルター掃除機能を搭載した空気調和機などの用途に広く適用できる。
【符号の説明】
【００２４】
１  排気排塵ダクト
２  軸部
３  流路開閉蓋
４  カフス
５  部材（忌避剤）
７  印籠構成
【図１】
2011191020.tif 000003
【図２】
2011191020.tif 000004
【図３】
2011191020.tif 000005
【図４】
2011191020.tif 000006
【図５】
2011191020.tif 000007
【図６】
2011191020.tif 000008